(57)【要約】【課題】天板を筐体に取り付ける際に、電装部材が天板と筐体との間に挟まれにくい加熱調理器を提供する。【解決手段】上方に開口する上開口を有する筐体１０と、筐体１０に支持されて上開口を覆うとともに、上面に機能部４が設けられた天板２と、筐体１０内に設けられ、天板２上に載置された被加熱物を加熱するための加熱部１１と、加熱部１１を制御する制御部３と、を備えた加熱調理器１である。天板２は、上方より操作可能な操作部または上方より視認可能な表示部を有する。筐体１０内に設けられ、機能部４に対する入力部７１または出力部７２が設けられるとともに制御部３と電装部材１５で接続される基板７０が取り付けられた本体部７と、本体部７を機能部４に対応する所定位置に保持する保持部８と、を備える。【選択図】図２
2019027639.tif 000002
【特許請求の範囲】
【請求項１】
上方に開口する上開口を有する筐体と、
前記筐体に支持されて前記上開口を覆うとともに、上面に機能部が設けられた天板と、
前記筐体内に設けられ、前記天板上に載置された被加熱物を加熱するための加熱部と、
前記加熱部を制御する制御部と、を備えた加熱調理器であって、
前記筐体内に設けられ、前記機能部に対する入力部または出力部のうち少なくとも一方が設けられるとともに、前記制御部と電装部材で接続される基板が取り付けられた本体部と、
前記本体部を前記機能部に対応する所定位置に保持する保持部と、を備えることを特徴とする加熱調理器。
【請求項２】
前記天板が前記上開口を覆う状態で、前記本体部を所定位置に位置決めする位置決め部が、前記本体部と前記天板とに設けられることを特徴とする請求項１記載の加熱調理器。
【請求項３】
前記保持部が、前記筐体とは別部材で構成されており、前記筐体に締結部材で固定されていることを特徴とする請求項１または２記載の加熱調理器。
【請求項４】
前記機能部は、前記天板の上方から操作されて前記入力部に対して入力を行う操作部を有することを特徴とする請求項１から３のいずれか一項に記載の加熱調理器。
【請求項５】
前記操作部からの操作力を前記基板に伝達する操作力伝達部が設けられることを特徴とする請求項４記載の加熱調理器。
【請求項６】
前記機能部は、前記天板の上方より視認可能で、前記出力部からの出力を表示させる表示部を有することを特徴とする請求項１から３のいずれか一項に記載の加熱調理器。
【請求項７】
前記出力部における出力が発光を伴うものであり、
前記出力部からの光を前記表示部に導く導光部が設けられることを特徴とする請求項６記載の加熱調理器。
【請求項８】
電池収納部を備え、前記電池収納部に収納された電池により前記制御部が駆動されるものであり、
前記表示部は、前記電池の残量が所定以下であることを表示する電池切れ表示部を有することを特徴とする請求項６または７記載の加熱調理器。
【発明の詳細な説明】
【技術分野】
【０００１】
本発明は、加熱調理器に関するものである。
【背景技術】
【０００２】
従来、上方に開口する筐体と、筐体に支持されて筐体の上開口を覆う天板とを備え、加熱部および加熱部を制御する制御部を筐体内に有する加熱調理器が知られている（例えば特許文献１参照）。
【０００３】
天板は、上方より操作可能な操作部を有している。天板の裏面には、操作部からの操作により入力が行われる入力部が設けられた基板が取り付けられている。
【０００４】
基板と制御部との間には、電装部材（ハーネス）が接続される。基板にはコネクタが設けられており、一端が制御部に接続されている電装部材の他端に設けられたコネクタが基板のコネクタに接続されて、基板と制御部とが電装部材により電気的に接続される。
【先行技術文献】
【特許文献】
【０００５】
【特許文献１】特開２００８−１１２６８５号公報
【発明の概要】
【発明が解決しようとする課題】
【０００６】
上述した特許文献１に示される加熱調理器にあっては、天板を筐体に取り付けるにあたり、まず、電装部材のコネクタを基板のコネクタに接続して、基板と制御部とを電装部材により接続する。その後、天板を筐体に取り付けるのであるが、このとき、電装部材が天板と筐体との間に挟まれてしまい、電装部材が破損するおそれがあった。
【０００７】
本発明は上記従来の問題点に鑑みて発明したものであって、その目的とするところは、天板を筐体に取り付ける際に、電装部材が天板と筐体との間に挟まれにくい加熱調理器を提供することである。
【課題を解決するための手段】
【０００８】
上記課題を解決するために請求項１に係る発明は、上方に開口する上開口を有する筐体と、前記筐体に支持されて前記上開口を覆うとともに、上面に機能部が設けられた天板と、前記筐体内に設けられ、前記天板上に載置された被加熱物を加熱するための加熱部と、前記加熱部を制御する制御部と、を備えた加熱調理器である。前記筐体内に設けられ、前記機能部に対する入力部または出力部のうち少なくとも一方が設けられるとともに、前記制御部と電装部材で接続される基板が取り付けられた本体部と、前記本体部を前記機能部に対応する所定位置に保持する保持部と、を備えることを特徴とする。
【０００９】
また、請求項２に係る発明は、請求項１に係る発明において、前記天板が前記上開口を覆う状態で、前記本体部を所定位置に位置決めする位置決め部が、前記本体部と前記天板とに設けられることを特徴とする。
【００１０】
また、請求項３に係る発明は、請求項１または２に係る発明において、前記保持部が、前記筐体とは別部材で構成されており、前記筐体に締結部材で固定されていることを特徴とする。
【００１１】
また、請求項４に係る発明は、請求項１から３のいずれか一項に係る発明において、前記機能部は、前記天板の上方から操作されて前記入力部に対して入力を行う操作部を有することを特徴とする。
【００１２】
また、請求項５に係る発明は、請求項４に係る発明において、前記操作部からの操作力を前記基板に伝達する操作力伝達部が設けられることを特徴とする。
【００１３】
また、請求項６に係る発明は、請求項１から３のいずれか一項に係る発明において、前記機能部は、前記天板の上方より視認可能で、前記出力部からの出力を表示させる表示部を有することを特徴とする。
【００１４】
また、請求項７に係る発明は、請求項６に係る発明において、前記出力部における出力が発光を伴うものであり、前記出力部からの光を前記表示部に導く導光部が設けられることを特徴とする。
【００１５】
また、請求項８に係る発明は、請求項６または７に係る発明において、電池収納部を備え、前記電池収納部に収納された電池により前記制御部が駆動されるものであり、前記表示部は、前記電池の残量が所定以下であることを表示する電池切れ表示部を有することを特徴とする。
【発明の効果】
【００１６】
請求項１に係る発明にあっては、天板を筐体に取り付ける際に、天板と筐体との間に電装部材が挟まれることが抑制される。
【００１７】
請求項２に係る発明にあっては、本体部の機能部に対する位置がずれることが抑制される。
【００１８】
請求項３に係る発明にあっては、保持部を筐体と一体に形成しなくてもよいため、筐体を製造しやすい。
【００１９】
請求項４に係る発明にあっては、操作部を有する天板を筐体に取り付ける際に、天板と筐体との間に電装部材が挟まれることが抑制される。
【００２０】
請求項５に係る発明にあっては、操作部からの操作力をより確実に入力部に伝達することができる。
【００２１】
請求項６に係る発明にあっては、表示部を有する天板を筐体に取り付ける際に、天板と筐体との間に電装部材が挟まれることが抑制される。
【００２２】
請求項７に係る発明にあっては、出力部からの光をより多く表示部に導くことができる。
【００２３】
請求項８に係る発明にあっては、電池切れ表示部を有する天板を筐体に取り付ける際に、天板と筐体との間に電装部材が挟まれることが抑制される。
【図面の簡単な説明】
【００２４】
【図１】図１は、本発明の一実施形態に係る加熱調理器の斜視図である。
【図２】図２は、同上の加熱調理器の一部の部材を除いた分解斜視図である。
【図３】図３は、同上の加熱調理器における天板の分解斜視図である。
【図４】図４Ａは、同上の加熱調理器における本体部の斜視図である。図４Ｂは、同上の本体部の分解斜視図である。
【図５】図５は、同上の加熱調理器における保持部の斜視図である。
【図６】図６は、同上の本体部が取り付けられた保持部の斜視図である。
【図７】図７は、同上の天板の裏面の一部拡大斜視図である。
【図８】図８は、同上の天板と本体部の嵌合を説明する破断した斜視図である。
【図９】図９は、同上の天板の機能部が設けられた部分の拡大図である。
【発明を実施するための形態】
【００２５】
以下、本発明に係る加熱調理器の一実施形態について図１〜図９に基いて説明する。本実施形態における加熱調理器は、キッチンカウンターに形成された凹部に設置されるビルトイン型のガスコンロである。
【００２６】
図１に示すように、加熱調理器１は、本体ケーシングと、加熱部１１と、を備える。本体ケーシングは、上方に開口する上開口を有する筐体１０と、筐体１０に支持されて上開口を覆うとともに、上面に機能部４が設けられた天板２と、を備える。筐体１０は、上方に開口する略矩形箱状をしたもので、ＳＵＳ等の金属により形成される。
【００２７】
ここで、加熱調理器１における前後方向を定義する。図１に示すように、設計上、加熱調理器１に対して使用者が位置する方を前方Ｆとするとともにその反対を後方Ｂとする。左右については、後方Ｂを向いた時の左方Ｌおよび右方Ｒとする。
【００２８】
本実施形態では、天板２の前部の左部、後部の左右方向中央部および前部の右部にそれぞれコンロ部１２が設けられている。コンロ部１２は、後述するガスバーナ１１０を有する加熱部１１と、被加熱物としての鍋等の調理容器が載置される五徳１３により構成される。
【００２９】
加熱部１１について説明する。加熱部１１は、筐体１０内に設けられ、天板２上に載置された被加熱物（不図示）を加熱する。具体的には、加熱部１１は、図２に示すように、ガスバーナ１１０と、ガスバーナ１１０に接続される流路および各種の弁を有する。各ガスバーナ１１０には、都市ガス等のガス燃料を供給する燃料供給路（不図示）からそれぞれ分岐する分岐供給路１１１が接続される。燃料供給路には電磁弁（不図示）が設けられ、各分岐供給路１１１には、ガス燃料の供給量の調節を行うための流量制御弁（不図示）が設けられる。ガスバーナ１１０は、天板２に形成されたコンロ用開口２５を挿通して上方に突出している。
【００３０】
ガスバーナ１１０には、ガスバーナ１１０に点火する例えば点火プラグからなる点火装置１１２と、ガスバーナ１１０の点火を検出する例えば熱電対からなる点火検出装置（不図示）とが設けられる。また、ガスバーナ１１０には、被加熱物としての鍋等の底面に当接してその有無および温度を検知する鍋底センサ１１３が設けられるが、このような鍋底センサ１１３は設けられる必要はない。
【００３１】
電磁弁、流量制御弁および点火装置１１２は、制御部３により制御が行われる。制御部３は、本実施形態では筐体１０内に設けられ、マイクロコンピュータを有し、加熱部１１を制御する。また、制御部３は、点火検出装置および鍋底センサ１１３からの情報を処理する。具体的には、制御部３は、マイクロコンピュータを構成するチップ等の素子が実装された制御基板３０を有するもので、筐体１０内に設けられた煮汁受け１４の下方に配置される。筐体１０は電池収納部（不図示）を備え、電池収納部に収納された電池により制御部３が駆動される。
【００３２】
天板２は、平面視において筐体１０の形状と略同じで若干大きく形成されている。図３に示すように、天板２は、本体ガラス板２０と、防熱板２１と、枠部材２２と、閉塞部材２３と、通気口カバー２４と、を有する。本体ガラス板２０は、透光性を有するが、部分的または全体的に遮光性を有するように塗装等を施してもよい。防熱板２１は、本体ガラス板２０の下面に配置される金属板である。本体ガラス板２０および防熱板２１は、その周縁部が金属により形成される枠部材２２に嵌め込まれて保持される。これにより、本体ガラス板２０、防熱板２１および枠部材２２が一体的に形成される。
【００３３】
また、枠部材２２には、本体ガラス板２０と並んで閉塞部材２３が嵌め込まれて保持される。平面視において、本体ガラス板２０は枠部材２２よりも小さく形成されており、本体ガラス板２０と閉塞部材２３とが並べられて枠部材２２の内部が隙間なく閉塞される。閉塞部材２３には通気口２３０が形成されており、通気口２３０を挿通して筐体１０内の気体が排出可能である。また、通気口２３０の上方を覆う通気口カバー２４が設けられており、通気口カバー２４により通気口２３０から異物が筐体１０内に侵入することが抑制される。
【００３４】
図１、図９に示すように、天板２には、機能部４が設けられる。本実施形態では、機能部４は、天板２の上方から操作されて後述する入力部７１に対して入力を行う操作部５と、天板２の上方より視認可能で、後述する出力部７２からの出力を表示させる表示部６と、を有している。
【００３５】
図１に示すように、操作部５として、点火消火操作部５１が設けられる。点火消火操作部５１は本実施形態では、つまみにより構成されている。天板２には、図２に示すように、点火消火操作部５１に対応する部分に点火消火用挿通孔２６が形成されている。さらに説明すると、図３に示すように、本体ガラス板２０に点火消火用挿通孔２６１が形成され、防熱板２１に点火消火用挿通孔２６２が形成され、これらにより点火消火用挿通孔２６が形成されている。図２に示すように、制御基板３０には点火消火用回転軸３１が形成されており、点火消火用回転軸３１は点火消火用挿通孔２６を挿通して上方に突出している。つまみからなる点火消火操作部５１は、上方に突出する点火消火用回転軸３１に固定される。
【００３６】
また、本体ガラス板２０にコンロ用開口２５１が形成され、防熱板２１にコンロ用開口２５２が形成され、これらによりコンロ用開口２５が形成されている。また、後述するが、本体ガラス板２０に操作用開口２７１が形成され、防熱板２１に操作用開口２７２が形成され、これらにより操作用開口２７が形成される。
【００３７】
また操作部５として、図１に示すように、高温炒めモード操作部５２が設けられる。高温炒めモード操作部５２は、押しボタンにより構成されている。この押しボタンからなる高温炒めモード操作部５２は、図３に示す操作用開口２７に上下可動に装着される。
【００３８】
図１に示すように、高温炒めモード操作部５２は、通常のハイカット制御から高温炒めモードに変更するためのものである。すなわち、通常のハイカット制御では、鍋底センサ１１３が所定のハイカット温度（例えば２５０℃）を検知すると強制的に弱火にする等の制御を行うが、高温炒めモードでは、ハイカット温度を通常よりも高い温度（例えば２９０℃）に設定し、高温での加熱調理を可能としている。高温炒めモードを行う場合、高温炒めモード操作部５２としての押しボタンを押す。
【００３９】
本実施形態では、表示部６として、図９に示すように、高温炒めモード表示部６１と、電池切れ表示部６２とが設けられる。
【００４０】
高温炒めモード表示部６１は、高温炒めモードが実行されていることを表示する。さらに説明すると、遮光性を有する塗装が施されている本体ガラス板２０に、「高温炒め」という文字からなる塗装の抜き部が形成されており、天板２の下側から上側に光が透過すると、上方より、「高温炒め」という文字が光って視認できるようになっている。
【００４１】
電池切れ表示部６２は、電池収納部に収納されている電池の残量が所定以下となったことを表示する。
【００４２】
図２に示すように、筐体１０内に本体部７が収納される。本体部７は、機能部４に対する入力部７１または出力部７２のうち少なくとも一方が設けられるとともに、制御部３と電線等からなる電装部材１５で接続される基板７０が取り付けられる。図４Ａ、図４Ｂに示すように、本体部７は、基板７０と、基板７０を収容して保持する本体筐体７３とを有する。本実施形態では、本体筐体７３は樹脂により形成されているが、材質は特に限定されない。図４Ｂに示すように、入力部７１は、基板７０の上面に設けられ、操作部５からの操作力により入力が行われる。出力部７２は、基板７０の上面の入力部７１と異なる箇所に設けられ、表示部６に出力としての表示を行わせるものである。
【００４３】
本実施形態では、出力部７２として、高温炒めモード表示用出力部７２１と、電池切れ表示用出力部７２２と、遠隔操作用出力部７２３と、が設けられる。
【００４４】
高温炒めモード表示用出力部７２１は、ＬＥＤ等の発光を伴うものにより構成される。天板２が筐体１０の所定の固定位置に固定されて上開口を覆う状態で、天板２の高温炒めモード表示部６１の下方に位置する。
【００４５】
電池切れ表示用出力部７２２は、ＬＥＤ等の発光を伴うものにより構成される。天板２が筐体１０の所定の固定位置に固定されて上開口を覆う状態で、天板２の電池切れ表示部６２の下方に位置する。
【００４６】
遠隔操作用出力部７２３は、制御信号を発信可能なＬＥＤにより構成される。本実施形態では、加熱調理器１の上方に設けられるレンジフード（不図示）に向けて、レンジフードの換気ファンを制御する制御信号を天板２を通して発信する。
【００４７】
また、本実施形態では、図４、図８に示すように、出力部７２からの光を表示部６に導く導光部７９が設けられている。導光部７９は、アクリル等の透光性を有する樹脂により形成され、所定の位置に適宜の手段により配置され、出力部７２からの光をより多く表示部６に導く。導光部７９として、高温炒めモード表示用出力部７２１からの光を高温炒めモード表示部６１に導く高温炒めモード表示用導光部７９１が設けられる。
【００４８】
また、導光部７９として、電池切れ表示用出力部７２２からの光を電池切れ表示部６２に導く電池切れ表示用導光部７９２が設けられる。電池切れ表示用導光部７９２には、遮光性を有する塗装が施されており、その一部に、内部が空になった電池を示す図柄からなる塗装の抜き部が形成されている。電池切れ表示用出力部７２２からの光が電池切れ表示用導光部７９２を下側から上側に透過すると、上方より、内部が空になった電池を示す図柄が光って視認できるようになっている。
【００４９】
なお、遠隔操作用出力部７２３に対応する導光部７９は設けられていない。
【００５０】
本体筐体７３は、上面に、上方に突出する筒状をした壁部７４を有する。壁部７４の左右方向の一方の端部に、壁部７４の外向きに突出する一方の係合片７５が設けられる。また、壁部７４の左右方向の他方の端部に、壁部７４の外向きに突出する他方の係合片７６が設けられる。一方の係合片７５は、壁部７４とは別に本体筐体７３の上面から上方に突出する突出片７５０の先端に形成される。他方の係合片７６は、壁部７４の上端に形成される。また、本体筐体７３には、出力部７２を挿通させる出力部挿通孔７８が形成されている。
【００５１】
上述した本体部７は、保持部８により機能部４に対応する所定位置に保持されて筐体１０に固定される。本実施形態では、保持部８は、図５に示すように、筐体１０とは別部材で構成されており、筐体１０にビス等の締結部材（不図示）で固定されて、本体部７が固定されるものである。保持部８は、縦片８１と横片８２とを有する側面視逆Ｌ字状をした部材で、本実施形態では金属により形成されているが、材質は特に限定されない。横片８２には、本体部７が挿通して固定される開口８３を有する。横片８２の開口８３の周縁からは、上方に向けて起立片８４が突出している。
【００５２】
図６に示すように、保持部８の開口８３に本体部７が装着されて取り付けられる。本体部７は、下方より開口８３に挿通され、一方の係合片７５および他方の係合片７６が起立片８４を乗り越えて起立片８４の上端に係合されることにより、保持部８に固定される。
【００５３】
上述したように、入力部７１および出力部７２が設けられた基板７０を有する本体部７が、保持部８を介して筐体１０に固定され、基板７０と筐体１０内の制御部３との間に電装部材１５が接続される。これにより、天板２を筐体１０に取り付ける際に、天板２と筐体１０との間に電装部材１５が架けられないため、天板２と筐体１０との間に電装部材１５が挟まれにくくなり、電装部材１５を破損することが抑制される。
【００５４】
天板２は、筐体１０の所定の位置に所定の向きで固定する固定手段（不図示）により筐体１０に固定される。設計上、天板２が固定手段により筐体１０に固定された状態において、操作部５は入力部７１の上方に位置して入力部７１に対向し、表示部６は出力部７２の上方に位置して出力部７２に対向するようになっている。
【００５５】
しかしながら、実際に天板２が筐体１０に支持されて筐体１０の上開口を覆う状態で、操作部５の入力部７１に対する位置関係および表示部６の出力部７２に対する位置関係は必ずしも設計通りとならないおそれがある。そこで、本実施形態では、天板２が筐体１０に支持されて筐体１０の上開口を覆う状態で、操作部５の入力部７１に対する位置決めおよび表示部６の出力部７２に対する位置決めを嵌合により行う位置決め部９１、９２が、本体部７と天板２とに設けられる。
【００５６】
図７、図８に示すように、本体部７に設けられる位置決め部９１は、保持部８に固定された本体部７の一方の係合片７５および他方の係合片７６（図６参照）により構成される。天板２に設けられる位置決め部９２は、天板２の防熱板２１の操作用開口２７２の周縁から下方に向けて突出する突出片により構成される。
【００５７】
図８に示すように、天板２が上方より筐体１０に固定されると、天板２の下方に突出する位置決め部９２が、本体部７の位置決め部９１に被嵌される。これにより、操作部５の入力部７１に対する位置決めと、表示部６の出力部７２に対する位置決めが行われる。これにより、操作部５の入力部７１に対する位置や表示部６の出力部７２に対する位置がずれることが抑制される。
【００５８】
また、本実施形態では、図４、図８に示すように、操作部５（高温炒めモード操作部５２）からの操作力を基板７０（入力部７１）に伝達する操作力伝達部７７が設けられている。操作力伝達部７７は、本体部７の一部に本体部７と一体に形成され、薄肉部等により動きやすいように構成されている。操作力伝達部７７が設けられることにより、操作部５からの操作力をより確実に入力部７１に伝達することができる。
【００５９】
次に、第一実施形態の変形例について説明する。
【００６０】
筐体１０は、少なくとも上方に開口していればよく、上記実施形態のような略矩形箱状に限定されない。また、筐体１０は、金属以外により形成されてもよい。
【００６１】
加熱部１１は、上記実施形態のようなものに限定されない。例えば、加熱部１１の流路および弁の構成が上記実施形態と異なってもよい。また、加熱部１１として、ガスバーナ１１０を有するものではなく、電磁誘導加熱によるものが用いられてもよい。
【００６２】
天板２は、上記実施形態のようなものに限定されない。例えば、天板２はガラスを有しなくてもよく、天板２の材質は限定されない。
【００６３】
天板２に設けられる機能部４としては、操作部５や表示部６に限定されない。
【００６４】
操作部５は、上記実施形態のような押しボタンに限定されず、例えばつまみ等であってもよい。また、操作部５としては、点火消火操作部５１や高温炒めモード操作部５２に限定されない。また、表示部６としては、高温炒めモード表示部６１や電池切れ表示部６２に限定されない。
【００６５】
保持部８は、上記実施形態では、筐体１０とは別部材で構成されていたが、筐体１０と一体に構成されてもよい。
【００６６】
上記実施形態においては、天板２は操作部５と表示部６の両方を有しているが、操作部５と表示部６の少なくとも一方を有すればよい。これに対応して、入力部７１と出力部７２も少なくとも一方が基板７０に設けられればよい。
【００６７】
操作部５の入力部７１に対する位置決めおよび表示部６の出力部７２に対する位置決めを行う位置決め部は、上記実施形態のような位置決め部９１、９２に限定されない。例えば、本体部７側の位置決め部が、天板２側の位置決め部に被嵌されてもよい。また、本体部７と天板２の一方にボスを設けるとともに他方にボスが嵌入される孔を設けてもよい。また、このような位置決め部は任意の構成であり、設けられなくてもよい。
【００６８】
以上、述べた第一実施形態およびその変形例から明らかなように、第１の態様は、上方に開口する上開口を有する筐体１０と、筐体１０に支持されて上開口を覆うとともに、上面に機能部４が設けられた天板２と、筐体１０内に設けられ、天板２上に載置された被加熱物を加熱するための加熱部１１と、加熱部１１を制御する制御部３と、を備えた加熱調理器１である。筐体１０内に設けられ、機能部４に対する入力部７１または出力部７２のうち少なくとも一方が設けられるとともに、制御部３と電装部材１５で接続される基板７０が取り付けられた本体部７と、本体部７を機能部４に対応する所定位置に保持する保持部８と、を備える。
【００６９】
第１の態様によれば、天板２を筐体１０に取り付ける際に、天板２と筐体１０との間に電装部材１５が挟まれることが抑制される。
【００７０】
第２の態様では、第１の態様との組み合わせにより実現される。第２の態様では、天板２が上開口を覆う状態で、本体部７を所定位置に位置決めする位置決め部９１、９２が本体部７と天板２とに設けられる。
【００７１】
第２の態様によれば、操作部５の入力部７１に対する位置や表示部６の出力部７２に対する位置がずれることが抑制される。
【００７２】
第３の態様では、第１または第２の態様との組み合わせにより実現される。第３の態様では、保持部８が、筐体１０とは別部材で構成されており、筐体１０に締結部材で固定されている。
【００７３】
第３の態様によれば、保持部８を筐体１０と一体に形成しなくてもよいため、筐体１０を製造しやすい。
【００７４】
第４の態様では、第１〜第３のいずれかの態様との組み合わせにより実現される。第４の態様では、機能部４は、天板２の上方から操作されて入力部７１に対して入力を行う操作部５を有する。
【００７５】
第４の態様によれば、操作部５を有する天板２を筐体１０に取り付ける際に、天板２と筐体１０との間に電装部材１５が挟まれることが抑制される。
【００７６】
第５の態様では、第４の態様との組み合わせにより実現される。第５の態様では、操作部５からの操作力を基板７０に伝達する操作力伝達部７７が設けられる。
【００７７】
第５の態様によれば、操作部５からの操作力をより確実に入力部７１に伝達することができる。
【００７８】
第６の態様では、第１〜第３のいずれかの態様との組み合わせにより実現される。第６の態様では、機能部４は、天板２の上方より視認可能で、出力部７２からの出力を表示させる表示部６を有する。
【００７９】
第６の態様によれば、表示部６を有する天板２を筐体１０に取り付ける際に、天板２と筐体１０との間に電装部材１５が挟まれることが抑制される。
【００８０】
第７の態様では、第６の態様との組み合わせにより実現される。第７の態様では、出力部７２における出力が発光を伴うものであり、出力部７２からの光を表示部６に導く導光部７９が設けられる。
【００８１】
第７の態様によれば、出力部７２からの光をより多く表示部６に導くことができる。
【００８２】
第８の態様では、第６または第７の態様との組み合わせにより実現される。第８の態様では、電池収納部を備え、電池収納部に収納された電池により制御部３が駆動されるものであり、表示部６は、電池の残量が所定以下であることを表示する電池切れ表示部６２を有する。
【００８３】
第８の態様によれば、電池切れ表示部６２を有する天板２を筐体１０に取り付ける際に、天板２と筐体１０との間に電装部材１５が挟まれることが抑制される。
【符号の説明】
【００８４】
１    加熱調理器
１０  筐体
１１  加熱部
１５  電装部材
２    天板
３    制御部
４    機能部
５    操作部
６    表示部
６２  電池切れ表示部
７    本体部
７０  基板
７１  入力部
７２  出力部
７７  操作力伝達部
７９  導光部
８    保持部
９１  位置決め部
９２  位置決め部
【図１】
2019027639.tif 000003
【図２】
2019027639.tif 000004
【図３】
2019027639.tif 000005
【図４】
2019027639.tif 000006
【図５】
2019027639.tif 000007
【図６】
2019027639.tif 000008
【図７】
2019027639.tif 000009
【図８】
2019027639.tif 000010
【図９】
2019027639.tif 000011